【手続補正書】
【提出日】平成30年10月1日(2018.10.1)
【手続補正１】
【補正対象書類名】特許請求の範囲
【補正対象項目名】全文
【補正方法】変更
【補正の内容】
【特許請求の範囲】
【請求項１】
電流共振型スイッチング電源を備え、第１のモード又は第２のモードで動作する電源装置であって、
入力された交流電圧を整流して得られた直流電圧を一次側に入力し、前記一次側に入力された直流電圧とは異なる電圧を二次側より出力する、電流共振回路を含むトランスと、
前記トランスに対して発振動作を行う発振器と、
第１の基準電圧を出力する第１の基準電圧源と、
前記第１の基準電圧より低い第２の基準電圧を出力する第２の基準電圧源と、
外部から入力される前記第１のモードと前記第２のモードの切り替えを指示する切替信号に従って、前記第１のモードでは前記第１の基準電圧と前記トランスからの出力電圧との差分に従い、前記発振器の発振動作のタイミングと前記トランスの二次側に励起される電圧を変化させる発振周波数とを制御し、前記第２のモードでは前記第１の基準電圧と前記トランスからの出力電圧との比較の結果と前記第２の基準電圧と前記トランスからの出力電圧との比較の結果とに従い、前記発振器の発振動作のタイミングと前記トランスの二次側に励起される電圧を変化させる発振周波数とを制御する制御部とを有することを特徴とする電源装置。
【請求項２】
前記トランスの二次側により出力された電圧を整流する第１の整流器と、
前記第１の整流器により整流された電圧を平滑する第１のコンデンサと、
前記第１の基準電圧と前記第１のコンデンサにより平滑され第１の負荷に出力される出力電圧との差分に従って、異なる電流を出力するアンプと、
前記第１のコンデンサにより平滑された出力電圧と前記第１の基準電圧とを比較する第１の比較器と、
前記第１のコンデンサにより平滑された前記出力電圧と前記第２の基準電圧とを比較する第２の比較器と、
前記第１の比較器からの比較の結果と前記第２の比較器からの比較の結果とを入力するラッチ回路とをさらに有し、
前記制御部は、前記第１のモードでは前記アンプからの出力を入力し、前記第２のモードでは前記ラッチ回路からの出力を入力し、前記入力に従って前記発振器の発振動作と発振周波数とを制御することを特徴とする請求項１に記載の電源装置。
【請求項３】
前記第１の基準電圧より低く、前記第２の基準電圧より高い第３の基準電圧を出力する第３の基準電圧源をさらに有し、
前記第１の比較器は、前記第１のコンデンサにより平滑された前記出力電圧と、前記第１の基準電圧に代えて前記第３の基準電圧とを比較することを特徴とする請求項２に記載の電源装置。
【請求項４】
前記トランスの二次側により出力された電圧を整流する第２の整流器と、
前記第２の整流器により整流された電圧を平滑する第２のコンデンサとをさらに有し、
前記第２のコンデンサにより平滑された電圧は第２の負荷に出力され、
前記第１の比較器と前記第２の比較器はそれぞれ、前記第１のコンデンサにより平滑された前記出力電圧に代えて、前記第２のコンデンサにより平滑された出力電圧を入力することを特徴とする請求項３に記載の電源装置。
【請求項５】
前記第１の負荷に出力される電圧は、前記第２の負荷に出力される電圧より高いことを特徴とする請求項４に記載の電源装置。
【請求項６】
前記第１のモードでは、前記発振周波数を制御するために前記制御部で生成される制御信号の電圧は予め定められた範囲の中で安定し、
前記第２のモードでは、前記制御信号の電圧は０Ｖから予め定められた電圧値との間で変動することを特徴とする請求項４又は５に記載の電源装置。
【請求項７】
前記発振器の発振周波数は、前記制御信号の電圧に従って変化し、
前記制御信号の電圧が第１の閾値未満の場合、前記発振器は発振を停止し、
前記制御信号の電圧が前記第１の閾値である場合、前記発振器は最高周波数で発振を行い、前記制御信号の電圧が高くなるにつれて、前記発振周波数が最低周波数へと低下することを特徴とする請求項６に記載の電源装置。
【請求項８】
前記発振周波数が高い場合、前記トランスの二次側に励起される電圧は小さく、前記発振周波数が低い場合、前記トランスの二次側に励起される電圧は大きいことを特徴とする請求項７に記載の電源装置。
【請求項９】
請求項５乃至８のいずれか１項に記載の電源装置を用いた記録装置であって、
記録媒体を搬送する搬送手段と、
前記記録媒体に記録を行う記録ヘッドと、
前記搬送手段と前記記録ヘッドの動作を制御する制御手段と、
前記制御手段に電圧を出力するＤＣ−ＤＣコンバータとを有し、
前記第１の負荷は前記搬送手段と前記記録ヘッドとを含み、
前記第２の負荷は前記ＤＣ−ＤＣコンバータを含むことを特徴とする記録装置。
【請求項１０】
前記記録装置に交流電源を投入した場合、前記電源装置を前記第２のモードで動作させて、前記制御手段を初期化し、該初期化の後、前記電源装置を前記第１のモードで動作させるよう切替える切替手段をさらに有することを特徴とする請求項９に記載の記録装置。
【請求項１１】
前記切替手段は、印刷命令の入力を待ち合わせ、予め定められた時間に前記印刷命令の入力がない場合には、前記電源装置を前記第２のモードに切替えることを特徴とする請求項１０に記載の記録装置。
【請求項１２】
前記第１のモードにおける単位時間の消費電力は前記第２のモードにおける単位時間の消費電力よりも大きいことを特徴とする請求項９に記載の記録装置。
【請求項１３】
電流共振型スイッチング電源を備え、第１のモード又は第２のモードで動作し、入力された交流電圧を整流して得られた直流電圧を一次側に入力し、前記一次側に入力された直流電圧とは異なる電圧を二次側より出力する、電流共振回路を含むトランスと、第１の基準電圧を出力する第１の基準電圧源と、前記第１の基準電圧より低い第２の基準電圧を出力する第２の基準電圧源とを備える電源装置の制御方法であって、
前記トランスに対して発振器により発振動作を行う発振工程と、
外部から入力される前記第１のモードと前記第２のモードの切り替えを指示する切替信号に従って、前記第１のモードでは前記第１の基準電圧と前記トランスからの出力電圧との差分に従い、前記発振器の発振動作のタイミングと前記トランスの二次側に励起される電圧を変化させる発振周波数とを制御し、前記第２のモードでは前記第１の基準電圧と前記トランスからの出力電圧との比較の結果と前記第２の基準電圧と前記トランスからの出力電圧との比較の結果とに従い、前記発振器の発振動作のタイミングと前記トランスの二次側に励起される電圧を変化させる発振周波数とを制御する制御工程とを有することを特徴とする制御方法。
【手続補正２】
【補正対象書類名】明細書
【補正対象項目名】００１０
【補正方法】変更
【補正の内容】
【００１０】
即ち、電流共振型スイッチング電源を備え、第１のモード又は第２のモードで動作する電源装置であって、入力された交流電圧を整流して得られた直流電圧を一次側に入力し、前記一次側に入力された直流電圧とは異なる電圧を二次側より出力する、電流共振回路を含むトランスと、前記トランスに対して発振動作を行う発振器と、第１の基準電圧を出力する第１の基準電圧源と、前記第１の基準電圧より低い第２の基準電圧を出力する第２の基準電圧源と、外部から入力される前記第１のモードと前記第２のモードの切り替えを指示する切替信号に従って、前記第１のモードでは前記第１の基準電圧と前記トランスからの出力電圧との差分に従い、前記発振器の発振動作のタイミングと前記トランスの二次側に励起される電圧を変化させる発振周波数とを制御し、前記第２のモードでは前記第１の基準電圧と前記トランスからの出力電圧との比較の結果と前記第２の基準電圧と前記トランスからの出力電圧との比較の結果とに従い、前記発振器の発振動作のタイミングと前記トランスの二次側に励起される電圧を変化させる発振周波数とを制御する制御部とを有することを特徴とする。